(57)【特許請求の範囲】
【請求項１】
筐体に設けられた第１コネクタ部と、
前記第１コネクタ部と異なる前記筐体の位置に設けられた第２コネクタ部と、
前記第１コネクタ部および外部機器または前記第２コネクタ部および外部機器の接続を検出する接続検出部と、
複数種類の記録された音声を報知する音声報知部と、
制御部と、を含み、
前記制御部は、前記接続検出部により検出された接続パターンに応じて前記複数種類の音声のいずれか１つを選択し、前記音声報知部から音声を報知し、かつ前記第１コネクタ部および前記第２コネクタ部が同時に接続された場合、前記音声報知部から警告音を報知する、記録装置。
【請求項２】
筐体に設けられた第１コネクタ部と、
前記第１コネクタ部と異なる前記筐体の位置に設けられた第２コネクタ部と、
前記第１コネクタ部および外部機器または前記第２コネクタ部および外部機器の接続を検出する接続検出部と、
複数種類の記録された音声を報知する音声報知部と、
前記第１コネクタ部および前記第２コネクタ部の接続順序を示す接続パターンを記録する接続記録部と、
装置固有情報を記録した記録部と、
制御部と、を含み、
前記接続記録部は、前記記録部に記録された装置固有情報に応じて接続パターンが異なり、
前記制御部は、前記接続記録部に記録された接続パターンと、前記接続検出部による第１コネクタ部および第２コネクタ部の接続順序とを比較して一致した場合、前記接続検出部により検出された接続パターンに応じて前記複数種類の音声のいずれか１つを選択し、前記音声報知部から音声を報知する、記録装置。
【請求項３】
筐体に設けられた第１コネクタ部と、
前記第１コネクタ部と異なる前記筐体の位置に設けられた第２コネクタ部と、
前記第１コネクタ部および外部機器または前記第２コネクタ部および外部機器の接続を検出する接続検出部と、
複数種類の記録された音声を報知する音声報知部と、
前記第１コネクタ部および前記第２コネクタ部の接続順序を示す接続パターンを記録する接続記録部と、
制御部と、を含み、
前記接続検出部は、前記第１コネクタ部および外部機器の接続における情報の通信規格、または前記第２コネクタ部および外部機器の接続における情報の通信規格を検出し、
前記接続記録部には、接続パターンの代わりに、または追加して通信規格のパターンが記録され、
前記制御部は、前記接続記録部に記録された接続パターンと、前記接続検出部による第１コネクタ部および第２コネクタ部の接続順序とを比較して一致した場合で、かつ、前記接続検出部による情報の通信規格および前記接続記録部に記録された通信規格のパターンを比較して一致した場合、前記接続検出部により検出された接続パターンに応じて前記複数種類の音声のいずれか１つを選択し、前記音声報知部から音声を報知する、記録装置。
【請求項４】
前記第１コネクタ部および前記第２コネクタ部の接続順序を示す接続パターンを記録する接続記録部をさらに含み、
前記制御部は、    
前記接続記録部に記録された接続パターンと、前記接続検出部による第１コネクタ部および第２コネクタ部の接続順序とを比較して一致した場合、前記複数種類の音声のいずれか１つを選択し、前記音声報知部から音声を報知する、請求項１記載の記録装置。
【請求項５】
前記制御部は、前記第１コネクタ部および前記第２コネクタ部が同時に接続された場合、前記音声報知部から警告音を報知する、請求項２または３に記載の記録装置。
【請求項６】
前記接続記録部には、接続回数が２回、３回、から、ｎ−１回、ｎ回（ｎは正の整数）までの接続パターンが複数記録され、
前記制御部は、２回の接続パターンが一致すると判定した後、３回の接続回数の通信規格のパターンが一致するかどうかを判定し、ｎ−１回の接続回数の通信規格のパターンが一致すると判定した後、ｎ回の接続回数の通信規格のパターンが一致するかどうかを判定する、請求項１から５のいずれか１項に記載の記録装置。
【請求項７】
接続状態を示す報知部をさらに含み、
前記制御部は、前記接続パターンが一致すると判定した場合、前記報知部の色を変化させて発光させる、請求項１から６のいずれか１項に記載の記録装置。
【請求項８】
ＷＥＢページ情報およびアプリ情報の少なくとも一方を含む記録部をさらに含み、
前記制御部は、前記接続パターンが一致すると判定した場合、前記ＷＥＢページ情報およびアプリ情報の少なくとも一方を前記外部機器へ出力する、請求項１から７のいずれか１項に記載の記録装置。
【請求項９】
装置固有情報を記録した記録部をさらに含み、
前記接続記録部は、前記記録部に記録された装置固有情報に応じて接続パターンが異なる、請求項１または３に記載の記録装置。
【請求項１０】
前記接続記録部は、前記第１コネクタ部および前記第２コネクタ部の接続パターンを書き換え可能な接続パターンを含む、請求項１乃至９のいずれか１項に記載の記録装置。
【請求項１１】
前記接続検出部は、前記第１コネクタ部および外部機器の接続における情報の通信規格、または前記第２コネクタ部および外部機器の接続における情報の通信規格を検出し、
前記接続記録部には、接続パターンの代わりに、または追加して通信規格のパターンが記録され、
前記制御部は、
前記接続検出部による情報の通信規格および前記接続記録部に記録された通信規格のパターンを比較して一致した場合、前記複数種類の音声のいずれか１つを選択し、前記音声報知部から音声を報知する、請求項１に記載の記録装置。
【請求項１２】
前記第１コネクタ部および第２コネクタ部の少なくとも一方は、ユニバーサルシリアルバス接続のコネクタからなる、請求項１乃至１１のいずれか１項に記載の記録装置。
【発明の詳細な説明】
【技術分野】
【０００１】
本発明は、記録装置、特にユニバーサルシリアルバスの記録装置（ＵＳＢメモリ）に関する。
【背景技術】
【０００２】
従来から、ユニバーサルシリアルバスの記録装置について種々の開発研究が行われている。
【０００３】
例えば、特許文献１（特開２０１１−３４５７７号公報）には、情報処理装置からの可搬型記憶装置の取り外し忘れを防止できるようにするとともに、可搬型記憶装置の取り扱いの利便性を向上させることについて開示されている。
【０００４】
特許文献１（特開２０１１−３４５７７号公報）記載の可搬型記録装置は、情報処理装置に通信可能に接続するための通信部をそなえた可搬型記憶装置であって、当該可搬型記憶装置が該通信部を介して該情報処理装置に接続されたことを検出する接続検出部と、該接続検出部により該通信部が該情報処理装置に接続されたことを検出してからの、接続状態での経過時間を測定するタイマと、該タイマにより所定時間が経過したことを検出されたときに、該可搬型記憶装置の使用者に警告を行なう警告部と、をそなえることを特徴とするものである。
【０００５】
特許文献２（特開２００８−１１７２３７号公報）には、データ破損防止に有効なＵＳＢメモリ装置及びＵＳＢメモリ装置制御方法について開示されている。
【０００６】
特許文献２（特開２００８−１１７２３７号公報）記載のＵＳＢメモリ装置及びＵＳＢメモリ装置制御方法は、ＵＳＢポートに着脱自在に接続されるＵＳＢコネクタと、データを記憶する不揮発性メモリと、ＵＳＢポートを備えた外部装置との間で、データ転送中か否かを監視し、該監視の結果に応じて音声発生手段による音声発生の動作を制御する制御手段と、を具備するものである。
【０００７】
特許文献３（特開２００８−２２５７６６号公報）には、発光装置とＵＳＢ接続端子とを備えた特定のＵＳＢ接続装置をコンピュータに接続することによって、コンピュータ上で、所定の条件を満たすことにより、発光装置を発光させたり、特定の音声を出力させたりすることについて開示されている。
【０００８】
特許文献３（特開２００８−２２５７６６号公報）記載のメール監視装置は、発光装置を有する特定のＵＳＢ接続装置の接続の有無を特定の検知信号を送信することにより確認して特定のＵＳＢ接続装置が接続されたことを検知すると確認信号を出力するＵＳＢ接続装置確認手段と、所定のメールソフトの電子メールの数を監視して該電子メールの数が変化した時に制御信号を送信するメール監視手段と、メール監視手段からの制御信号に応じてＵＳＢ接続装置に対して制御コード信号を送信する制御コード送信手段と、メール監視手段からの制御信号に応じて音声ファイルの音声出力を指示する音出力指示手段とを備え、メール監視手段は、ＵＳＢ接続装置確認手段が確認信号を出力している時に電子メールの数の監視を行うことを特徴としたものである。
【先行技術文献】
【特許文献】
【０００９】
【特許文献１】特開２０１１−３４５７７号公報
【特許文献２】特開２００８−１１７２３７号公報
【特許文献３】特開２００８−２２５７６６号公報
【発明の概要】
【発明が解決しようとする課題】
【００１０】
以上のように、特許文献１には、可搬型記録装置の取り忘れを防止することができるという効果を奏すると開示されている。
また、特許文献２には、データ転送中か否かを判定する技術が開示されている。さらに、特許文献３には、電子メールの数によって発光装置を発光させたりする点について開示されている。
【００１１】
ユニバーサルシリアルバス（ＵＳＢ）の記録装置は、従前高額で販売されていた。しかしながら、近年当該記録装置は、低価格で提供されるようになりつつある。その結果、ユーザの利用頻度が高まりユーザの嗜好性に応じた記録装置が望まれている。
また、ＵＳＢの接続種類も増加してきている。具体的にＵＳＢ−Ａ、ＵＳＢ−Ｂ、ｍｉｎｉＡ、ｍｉｎｉＢ、ＭｉｃｒｏＡ、ＭｉｃｒｏＢ、ＵＳＢ  Ｔｙｐｅ−Ｃ等の型式がある
【００１２】
本発明の主な目的は、ユーザの嗜好性を高めることができる記録装置を提供することである。
【課題を解決するための手段】
【００１３】
（１）
一局面に従う記録装置は、筐体に設けられた第１コネクタ部と、第１コネクタ部と異なる筐体の位置に設けられた第２コネクタ部と、第１コネクタ部および外部機器または第２コネクタ部および外部機器の接続を検出する接続検出部と、複数種類の記録された音声を報知する音声報知部と、制御部と、を含み、制御部は、接続検出部により検出された接続パターンに応じて複数種類の音声のいずれか１つを選択し、音声報知部から音声を報知するものである。
【００１４】
この場合、第１コネクタ部および外部機器の接続、第２コネクタ部および外部機器の接続が、検出される。制御部は、第１コネクタ部における接続と、第２コネクタ部における接続との接続パターンに応じて音声報知部から音声を出力する。
その結果、接続パターンに応じて種々の音声を設定することにより、ユーザの嗜好性を高め、記録装置の利用を増加させることができる。
【００１５】
（２）
第２の発明にかかる記録装置は、一局面に従う記録装置において、第１コネクタ部および第２コネクタ部の接続順序を示す接続パターンを記録する接続記録部をさらに含み、制御部は、接続記録部に記録された接続パターンと、接続検出部による第１コネクタ部および第２コネクタ部の接続順序とを比較して一致した場合、複数種類の音声のいずれか１つを選択し、音声報知部から音声を報知してもよい。
【００１６】
この場合、制御部は、接続記録部に記録された接続パターンと第１コネクタ部における接続および第２コネクタ部における接続順序とが一致する場合、音声報知部から音声が報知される。したがって、ユーザは、通常使用以外にも接続順序を変化させて音声報知部からの音声を楽しむことができる。
【００１７】
（３）
第３の発明にかかる記録装置は、一局面または第２の発明にかかる記録装置において、制御部は、第１コネクタ部および第２コネクタ部が同時に接続された場合、音声報知部から警告音を報知してもよい。
【００１８】
この場合、制御部は、第１コネクタ部および第２コネクタ部が同時に接続された場合、いずれの接続を有効にさせるかが問題となる。そのため、音声報知部から警告音を報知することで、ユーザに使用方法が誤っていることを認識させることができる。
なお、第１コネクタ部および第２コネクタ部が同時に接続された場合、後に接続された方を接続無効としてもよい。
【００１９】
（４）
第４の発明にかかる記録装置は、第２または第３の発明にかかる記録装置において、接続記録部には、接続回数が２回、３回、から、ｎ−１回、ｎ回（ｎは正の整数）までの接続パターンが複数記録され、制御部は、２回の接続パターンが一致すると判定した後、３回の接続回数の通信規格のパターンが一致するかどうかを判定し、ｎ−１回の接続回数の通信規格のパターンが一致すると判定した後、ｎ回の接続回数の通信規格のパターンが一致するかどうかを判定してもよい。
【００２０】
この場合、２回の接続パターンが一致すると判定した後、３回の接続パターンが一致すると判定してもよく、順に接続パターンが一致する回数を増加させることができる。
その結果、ユーザは、楽しみながら接続パターンを探すことができる。
なお、２回の接続パターンが一致した後、３回の接続パターンが一致するまで、仮に２回の接続パターンが再び一致しても２回の接続パターンと一致すると判定しない。すなわち、１番目の接続パターンが一致すると判定（１番目をクリア）すると、次は２番目の接続パターンが一致するかどうかを判定し、２番目の接続パターンをクリアすると、次は３番目の接続パターンが一致するかどうかを判定するというように、順番に判定してもよい。
【００２１】
（５）
第５の発明にかかる記録装置は、一局面から第４の発明にかかる記録装置において、接続状態を示す報知部をさらに含み、制御部は、接続パターンが一致すると判定した場合、報知部の色を変化させて発光させてもよい。
【００２２】
この場合、制御部は、所定回数の接続パターンが一致すると判定された場合、報知部の色を変化させて発光させることができる。この場合、ユーザは接続パターンが一致したと判定できる。
また、ユーザは、周囲のユーザに接続パターンが一致したことを自慢することができる。
報知部は、ＬＥＤからなってもよい。また、報知部は通常緑と赤とからなるが、７色のＬＥＤからなってもよく、複数色が順に色が変化してもよい。
【００２３】
（６）
第６の発明にかかる記録装置は、一局面から第５の発明にかかる記録装置において、ＷＥＢページ情報およびアプリ情報の少なくとも一方を含む記録部をさらに含み、制御部は、制御部は、接続パターンが一致すると判定した場合、ＷＥＢページ情報およびアプリ情報の少なくとも一方を外部機器へ出力してもよい。
【００２４】
この場合、制御部は、所定回数の接続パターンが一致すると判定された場合、ＷＥＢページ情報およびアプリ情報の少なくとも一方を外部機器へ出力することができる。
その結果、ユーザは接続パターンが一致したと判定できる。また、ユーザは、ＷＥＢページ情報およびアプリ情報の少なくとも一方を用いて、当該ＷＥＢページ情報およびアプリ情報の少なくとも一方を用いてアクセスすることができる。その結果、ＷＥＢページ情報およびアプリ情報の少なくとも一方にアクセス先にプレゼント応募等の設定を行うことで、ユーザの嗜好を高めることができる。
【００２５】
（７）
第７の発明にかかる記録装置は、第２の発明から第６の発明までにかかる記録装置において、装置固有情報を記録した記録部をさらに含み、接続記録部は、記録部に記録された装置固有情報に応じて接続パターンが異なってもよい。
【００２６】
この場合、装置固有情報に応じて接続パターンが異なっているので、ユーザは、接続パターンをインターネット等で調べることができない。そのため、ユーザの達成意欲を高めることができる。装置固有情報は、シリアル番号またはＭＡＣアドレス等であってもよい。
【００２７】
（８）
第８の発明にかかる記録装置は、第２の発明から第７の発明までにかかる記録装置において、接続記録部は、第１コネクタ部および第２コネクタ部の接続パターンを書き換え可能な接続パターンを含んでもよい。
【００２８】
この場合、接続記録部は、接続パターンを書き換えできる部分を有する。その結果、ユーザは接続パターンを書き換えて、自由に設定することができる。当該接続パターンの設定を行った記録装置を他のユーザにプレゼントすることができ、ユーザの嗜好性をさらに高めることができる。
【００２９】
（９）
第９の発明にかかる記録装置は、第２の発明から第８の発明にかかる記録装置において、接続検出部は、第１コネクタ部および外部機器の接続における情報の通信規格、または第２コネクタ部および外部機器の接続における情報の通信規格を検出し、接続記録部には、接続パターンの代わりに、または追加して通信規格のパターンが記録され、制御部は、接続検出部による情報の通信規格および接続記録部に記録された通信規格のパターンを比較して一致した場合、複数種類の音声のいずれか１つを選択し、音声報知部から音声を報知してもよい。
【００３０】
この場合、接続パターンのみ、接続パターンと通信規格、通信規格のみが記録されているので、音声報知部から報知される音声の種類を種々変化させることができる。
【００３１】
（１０）
第１０の発明にかかる記録装置は、一局面から第９の発明にかかる記録装置において、第１コネクタ部および第２コネクタ部の少なくとも一方は、ユニバーサルシリアルバス接続のコネクタからなってもよい。
【００３２】
この場合、第１コネクタ部および第２コネクタ部の少なくとも一方は、ユニバーサルシリアルバス接続のコネクタからなるので、ユーザの嗜好性を高めた記録装置（ＵＳＢメモリ）を提供することができる。
【図面の簡単な説明】
【００３３】
【図１】本実施の形態にかかるユニバーサルシリアルバスの記録装置の内部構造の一例を示す模式図である。
【図２】メモリ部に記録されたリンクテーブルの一例を示す模式図である。
【図３】ＵＳＢメモリの制御部の動作の一例を示すフローチャートである。
【図４】メモリ部に記録されたリンクテーブルの一例を示す模式図である。
【図５】ＵＳＢメモリの制御部の動作の一例を示すフローチャートである。
【図６】メモリ部に記録されたリンクテーブルの一例を示す模式図である。
【図７】ＵＳＢメモリの制御部の動作の一例を示すフローチャートである。
【図８】メモリ部に記録されたリンクテーブルの一例を示す模式図である。
【図９】ＵＳＢメモリの制御部の動作の一例を示すフローチャートである。
【図１０】本実施の形態にかかるユニバーサルシリアルバスの記録装置の内部構造の一例を示す模式図である。
【図１１】メモリ部に記録されたリンクテーブルの一例を示す模式図である。
【図１２】コネクタ部Ａ２００とコネクタ部Ｂ２５０とが同時に接続された場合にエラーを出力するための警告用フローチャートである。
【発明を実施するための形態】
【００３４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３５】
＜第１の実施形態＞
図１は、本実施の形態にかかるユニバーサルシリアルバスの記録装置（以下、ＵＳＢメモリと呼ぶ。）１００の内部構造の一例を示す模式図である。
なお、本実施例ではパーソナルコンピュータ等への接続に使用するインターフェイスとしてＵＳＢを使用しているが、例えばＬｉｇｈｔｎｉｎｇインターフェイスなどであっても良く、ＵＳＢに限定されない。
【００３６】
図１に示すように、ＵＳＢメモリ１００は、主にコネクタ部Ａ２００、コネクタ部Ｂ２５０、音声再生部３００、記録部４００、制御部５００および逆流防止回路７５０を含む。
【００３７】
コネクタ部Ａ２００は、ＵＳＢメモリ１００の筐体から一部突出して形成される。コネクタ部Ａ２００は、ＵＳＢ−Ａ、ＵＳＢ−Ｂ、ｍｉｎｉＡ、ｍｉｎｉＢ、ＭｉｃｒｏＡ、ＭｉｃｒｏＢ、ＵＳＢ  Ｔｙｐｅ−Ｃのいずれか１つから形成されてもよい。
コネクタ部Ｂ２５０は、ＵＳＢメモリ１００の筐体から一部突出して形成される。コネクタ部Ｂ２５０は、コネクタ部Ａ２００と異なるＵＳＢ−Ａ、ＵＳＢ−Ｂ、ｍｉｎｉＡ、ｍｉｎｉＢ、ＭｉｃｒｏＡ、ＭｉｃｒｏＢ、ＵＳＢ  Ｔｙｐｅ−Ｃのいずれか１つから形成されてもよい。
記録部４００は、例えばフラッシュメモリ、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＯＤＤ（Ｏｐｔｉｃａｌ  Ｄｉｓｋ  Ｄｒｉｖｅ）である。
【００３８】
また、音声再生部３００は、スピーカ３１０、音声１データ６１０、音声２データ６２０、音声３データ６３０、および音声４データ６４０を含む。
音声１データ６１０、音声２データ６２０、音声３データ６３０、および音声４データ６４０は、個々に異なる音声データからなる。
具体的に音声再生部３００は、マイコン付き音声ＩＣ等からなる。
【００３９】
制御部５００は、中央演算処理装置（以下、ＣＰＵと呼ぶ。）部５１０、メモリ部５２０、インターフェイス（以下、ＩＦと呼ぶ。）部５３０、電圧検知部５４０、および接続記録部５５０を含む。
【００４０】
メモリ部５２０には、「接続パターン」および「音声再生部が再生する音声」が関連付けて「音声再生情報」として記録されている。
また、例えば、隠し音声を再生する接続パターンとして、「特別音声用接続パターン情報」を記録しておく。
音声再生情報および特別音声用接続パターン情報等の詳細については、後述する。
【００４１】
コネクタ部Ａ２００と制御部５００のＩＦ部５３０とは、ＵＳＢ信号を送受信するラインで接続される。
また、コネクタ部Ｂ２５０と制御部５００のＩＦ部５３０とは、ＵＳＢ信号を送受信するラインで接続される。
ＩＦ部５３０は、情報の送受だけでなく、情報の送受信状態および通信規格の状態を監視する。
【００４２】
また、コネクタ部Ａ２００と制御部５００とは、電源ライン（Ｖｂｕｓ）で接続される。電源ライン（Ｖｂｕｓ）は分岐部Ｐを有し、電源ライン（Ｖｂｕｓ）は分岐部Ｐで分岐して、音声再生部３００に接続される。
コネクタ部Ａ２００と分岐部Ｐとの間に逆流防止回路７５０が設けられる。
コネクタ部Ｂ２５０と制御部５００とは、分岐部Ｐを介して電源ライン（Ｖｂｕｓ）で接続される。コネクタ部Ｂ２５０と分岐部Ｐとの間に逆流防止回路７５０が設けられる。
【００４３】
また、コネクタ部Ａ２００と逆流防止回路７５０との間の電源ライン（Ｖｂｕｓ）は、分岐部Ｑを有し、電源ライン（Ｖｂｕｓ）は、分岐部Ｑで分岐して、電圧検知部５４０に接続される。
さらに、コネクタ部Ｂ２５０と逆流防止回路７５０との間の電源ライン（Ｖｂｕｓ）は、分岐部Ｒを有し、電源ライン（Ｖｂｕｓ）は、分岐部Ｒで分岐して、電圧検知部５４０に接続される。
電圧検知部５４０は、電源ライン（Ｖｂｕｓ）の電圧を監視する。
【００４４】
図２は、メモリ部５２０に記録されたリンクテーブルの一例を示す模式図である。
図２に示すように、メモリ部５２０には、音声再生情報のリンクテーブル５２１が記録されている。
図２に示すように、「接続パターン」が「Ａ」の場合、「音声１データ６１０」がリンク付けされ、「接続パターン」が「Ａ−Ｂ」の場合、「音声２データ６２０」がリンク付けされ、「接続パターン」が「Ａ−Ａ−Ｂ」の場合、「音声３データ６３０」がリンク付けされ、「接続パターン」が「Ａ−Ｂ−Ａ−Ａ」の場合、「音声４データ６４０」がリンク付けされる。
【００４５】
図３は、ＵＳＢメモリ１００の制御部５００の動作の一例を示すフローチャートである。
【００４６】
コネクタ部Ａ２００が、パーソナルコンピュータまたはスマートフォン等に接続される。この場合、コネクタ部Ａ２００に対してパーソナルコンピュータから電源が供給される。その結果、電圧が、コネクタ部Ａ２００から電源（Ｖｂｕｓ）ラインおよび分岐部Ｑを介して電圧検知部５４０に入力される。
【００４７】
制御部５００は、電圧検知部５４０で電圧を検知した場合にコネクタ部Ａ２００の電源ラインからの電圧がオンか否かを判定する（ステップＳ１）。
電圧がオンであると判定した場合（ステップＳ１のＹｅｓ）、制御部５００は、電圧検知部５４０による検知結果が、コネクタ部Ａ２００がオンであることを認識する（ステップＳ２）。
次に、制御部５００は、ステップＳ２の処理の後、接続記録部５５０にコネクタ部Ａ２００がオンであることを記録する（ステップＳ３）。
【００４８】
一方、電圧がオンでないと判定した場合（ステップＳ１のＮｏ）、制御部５００は、電圧検知部５４０による検知結果が、コネクタ部Ｂ２５０がオンであることを認識する（ステップＳ５）。
次に、制御部５００は、ステップＳ５の処理の後、接続記録部５５０にコネクタ部Ｂ２５０がオンであることを記録する（ステップＳ６）。
【００４９】
制御部５００は、接続記録部５５０の接続パターンを確認し（ステップＳ７）、所定の接続パターンと一致するか否かを判定する（ステップＳ８）。ここで、所定の接続パターンとは、リンクテーブル５２１における予め規定された接続パターンを意味する。
したがって、接続記録部５００は、１または複数回の接続順序を記録し保持している。すなわち、過去にコネクタ部Ａ２００およびコネクタ部Ｂ２５０をそれぞれ何回接続したかを記録し、さらにそれぞれどの順序で接続したかを記録している。
ここで、所定の接続パターンでない（ステップＳ８のＮｏ）と判定した場合、制御部５００は、処理を終了する。
【００５０】
一方、所定の接続パターンである（ステップＳ８のＹｅｓ）と判定した場合、制御部５００は、メモリ部５２０のリンクテーブル５２１に基づいて音声再生指示を音声再生部３００へ、与える（ステップＳ９）。
最後に、音声再生部３００は、制御部５００からの音声再生指示に従い、スピーカ３１０から接続パターンに応じた音声１データ６１０、音声２データ６２０、音声３データ６３０、および音声４データ６４０のうちから１つの音声を出力させ（ステップＳ１０）、処理を終了する。
【００５１】
以上のように、ＵＳＢメモリ１００においては、所定の接続パターンが「Ａ」の場合、音声１データ６１０がスピーカ３１０から報知される。例えば、音声１データ６１０は、「今からお仕事ですか？頑張ってください。抜き忘れに注意してくださいね」等の音声データからなる。
一方、所定の接続パターンが「Ａ−Ｂ」の場合、音声２データ６２０がスピーカ３１０から報知される。例えば、音声２データ６２０は、「スマホばっかり使っていると依存症になるよ！！注意しようね」等の音声データからなる。
【００５２】
制御部５００は、所定の接続パターン「Ａ」が一致すると判定（１番目をクリア）した後、次は２番目の所定の接続パターン「Ａ−Ｂ」が一致するかどうかを判定し、２番目の接続パターンをクリアすると、次は３番目の所定の接続パターン「Ａ−Ａ−Ｂ」が一致するかどうかを判定するようにしてもよい。
【００５３】
（第２の実施の形態）
次に、第２の実施の形態について説明を行う。第２の実施の形態にかかるＵＳＢメモリ１００の説明においては、第１の実施の形態にかかるＵＳＢメモリ１００と異なる点について主に説明を行う。
【００５４】
第１の実施の形態にかかるＵＳＢメモリ１００においては、コネクタ部Ａ２００またはコネクタ部Ｂ２５０のいずれか一方からの電圧検知部５４０の電圧オンを検知した場合に接続記録部に記録を行うこととしているが、第２の実施の形態にかかるＵＳＢメモリ１００においては、接続パターンのみではなく、接続パターンおよび通信規格とを接続記録部５５０に記録するものである。
【００５５】
図４は、メモリ部５２０に記録されたリンクテーブルの一例を示す模式図である。
図４に示すように、メモリ部５２０には、音声再生情報のリンクテーブル５２２が記録されている。通信規格は、ＨＩＧＨ−ＳＰＥＥＤまたはＳＵＰＥＲＳＰＥＥＤを例示する。ＨＩＧＨ−ＳＰＥＥＤは、（Ｈ）と記載し、ＳＵＰＥＲＳＰＥＥＤは、（Ｓ）と記載する。
リンクテーブル５２２には、接続パターン「Ａ」および通信規格（Ｈ）と、「音声１１データ６１１」とがリンク付けされる。
【００５６】
また、接続パターン「Ａ」および通信規格（Ｈ）の次に接続パターン「Ｂ」および通信規格（Ｓ）と「音声１２データ６２１」とがリンク付けされる。
また、接続パターン「Ａ」および通信規格（Ｓ）の次に接続パターン「Ａ」および通信規格（Ｓ）の次に接続パターン「Ｂ」および通信規格（Ｈ）と「音声１３データ６３１」とがリンク付けされる。
また、接続パターン「Ａ」および通信規格（Ｓ）の次に接続パターン「Ｂ」および通信規格（Ｈ）の次に接続パターン「Ａ」および通信規格（Ｈ）の次に接続パターン「Ａ」および通信規格（Ｓ）と、「音声１４データ６４１」とがリンク付けされる。
【００５７】
図５は、ＵＳＢメモリ１００の制御部５００の動作の一例を示すフローチャートである。
【００５８】
コネクタ部Ａ２００が、パーソナルコンピュータまたはスマートフォン等に接続される。この場合、コネクタ部Ａ２００に対してパーソナルコンピュータから電源が供給される。その結果、電圧が、コネクタ部Ａ２００から電源（Ｖｂｕｓ）ラインおよび分岐部Ｑを介して電圧検知部５４０に入力される。
【００５９】
制御部５００は、電圧検知部５４０で電圧を検知した場合にコネクタ部Ａ２００の電源ラインからの電圧がオンか否かを判定する（ステップＳ１）。
電圧がオンであると判定した場合（ステップＳ１のＹｅｓ）、制御部５００は、電圧検知部５４０による検知結果が、コネクタ部Ａ２００がオンであることを認識する（ステップＳ２）。
また、ＩＦ部５３０は、コネクタ部Ａ２００からの通信規格を検出する（ステップＳ２ａ）。制御部５００は、ＩＦ部５３０で認識された通信規格を認識する（ステップＳ２ｂ）。
次に、制御部５００は、ステップＳ２ｂの処理の後、接続記録部５５０にコネクタ部Ａ２００がオンであること、および通信規格の両方を記録する（ステップＳ３ａ）。
【００６０】
一方、電圧がオンでないと判定した場合（ステップＳ１のＮｏ）、制御部５００は、電圧検知部５４０による検知結果が、コネクタ部Ｂ２５０がオンであることを認識する（ステップＳ５）。
また、ＩＦ部５３０は、コネクタ部Ｂ２５０からの通信規格を検出する（ステップＳ５ａ）。制御部５００は、ＩＦ部５３０で認識された通信規格を認識する（ステップＳ５ｂ）。
次に、制御部５００は、ステップＳ５ｂの処理の後、接続記録部５５０にコネクタ部Ｂ２５０がオンであること、および通信規格の両方を記録する（ステップＳ６ａ）。
【００６１】
制御部５００は、接続記録部５５０の接続パターンを確認し（ステップＳ７ａ）、所定の接続パターンと一致するか否かを判定する（ステップＳ８ａ）。ここで、所定の接続パターンとは、リンクテーブル５２２における予め規定された接続パターンおよび通信規格を意味する。
ここで、所定の接続パターンでない（ステップＳ８ａのＮｏ）と判定した場合、制御部５００は、処理を終了する。
【００６２】
一方、所定の接続パターンである（ステップＳ８ａのＹｅｓ）と判定した場合、制御部５００は、メモリ部５２０のリンクテーブル５２２に基づいて音声再生指示を音声再生部３００へ、与える（ステップＳ９）。
最後に、音声再生部３００は、制御部５００からの音声再生指示に従い、スピーカ３１０から接続パターンに応じた音声１１データ６１１、音声１２データ６２１、音声１３データ６３１、および音声１４データ６４１のうちから１つの音声を出力させ（ステップＳ１０）、処理を終了する。
【００６３】
（第３の実施の形態）
第３の実施の形態にかかるＵＳＢメモリ１００の説明においては、第１または第２の実施の形態にかかるＵＳＢメモリ１００と異なる点について主に説明を行う。
【００６４】
図６は、メモリ部５２０に記録されたリンクテーブルの一例を示す模式図である。
図６に示すように、メモリ部５２０に記録されたリンクテーブル５２３には、接続パターンとして、「接続情報」の「Ａ」と「音声１データ６１０」とがリンク付けされる。また、接続パターンとして、「接続情報」の「Ｂ」と「音声２データ６２０」とがリンク付けされる。
【００６５】
図７は、ＵＳＢメモリ１００の制御部５００の動作の一例を示すフローチャートである。
【００６６】
コネクタ部Ａ２００が、パーソナルコンピュータまたはスマートフォン等に接続される。
その結果、電圧が、コネクタ部Ａ２００から電源（Ｖｂｕｓ）ラインおよび分岐部Ｑを介して電圧検知部５４０に入力される。
【００６７】
制御部５００は、電圧検知部５４０で電圧を検知した場合にコネクタ部Ａ２００の電源ラインからの電圧がオンか否かを判定する（ステップＳ２１）。
電圧がオンであると判定した場合（ステップＳ２１のＹｅｓ）、制御部５００は、電圧検知部５４０による検知結果が、コネクタ部Ａ２００がオンであることを認識する（ステップＳ２２）。
【００６８】
制御部５００は、メモリ部５２０のリンクテーブル５２３に基づいて音声再生指示を音声再生部３００へ、与える（ステップＳ２３）。
音声再生部３００は、制御部５００からの音声再生指示に従い、スピーカ３１０から接続パターンに応じた音声１データ６１０の音声を出力させる（ステップＳ２４）。
【００６９】
一方、電圧がオンでないと判定した場合（ステップＳ２１のＮｏ）、制御部５００は、電圧検知部５４０による検知結果が、コネクタ部Ｂ２５０がオンであることを認識する（ステップＳ２６）。
【００７０】
制御部５００は、メモリ部５２０のリンクテーブル５２３に基づいて音声再生指示を音声再生部３００へ、与える（ステップＳ２７）。
音声再生部３００は、制御部５００からの音声再生指示に従い、スピーカ３１０から接続パターンに応じた音声２データ６２０の音声を出力させる（ステップＳ２８）。
【００７１】
（第４の実施の形態）
第４の実施の形態にかかるＵＳＢメモリ１００の説明においては、第１、第２または第３の実施の形態にかかるＵＳＢメモリ１００と異なる点について主に説明を行う。
【００７２】
図８は、メモリ部５２０に記録されたリンクテーブルの一例を示す模式図である。
図８に示すように、メモリ部５２０に記録されたリンクテーブル５２４には、接続パターンとして、接続情報の「Ａ」および通信規格「ＨＩＧＨ−ＳＰＥＥＤ」と「音声１１データ６１１」とがリンク付けされる。また、接続パターンとして、接続情報の「Ｂ」および通信規格「ＳＵＰＥＲＳＰＥＥＤ」と「音声１２データ６２１」とがリンク付けされる。
【００７３】
図９は、ＵＳＢメモリ１００の制御部５００の動作の一例を示すフローチャートである。
【００７４】
コネクタ部Ａ２００が、パーソナルコンピュータまたはスマートフォン等に接続される。
その結果、電圧が、コネクタ部Ａ２００から電源（Ｖｂｕｓ）ラインおよび分岐部Ｑを介して電圧検知部５４０に入力される。
【００７５】
制御部５００は、電圧検知部５４０で電圧を検知した場合にコネクタ部Ａ２００の電源ラインからの電圧がオンか否かを判定する（ステップＳ２１）。
電圧がオンであると判定した場合（ステップＳ２１のＹｅｓ）、制御部５００は、電圧検知部５４０による検知結果が、コネクタ部Ａ２００がオンであることを認識する（ステップＳ２２）。
また、ＩＦ部５３０は、コネクタ部Ａ２００からの通信規格を検出する（ステップＳ２２ａ）。制御部５００は、ＩＦ部５３０で認識された通信規格を認識する（ステップＳ２２ｂ）。
【００７６】
制御部５００は、接続記録部５５０の接続パターンを確認し（ステップＳ２３）、接続パターンがコネクタ部Ａ２００であり、通信規格が（Ｈ）の場合に、制御部５００は、メモリ部５２０のリンクテーブル５２４に基づいて音声再生指示を音声再生部３００へ、与える（ステップＳ２４）。
音声再生部３００は、制御部５００からの音声再生指示に従い、スピーカ３１０から接続パターンに応じた音声１１データ６１１の音声を出力させる（ステップＳ２５）。
【００７７】
一方、電圧がオンでないと判定した場合（ステップＳ２１のＮｏ）、制御部５００は、電圧検知部５４０による検知結果が、コネクタ部Ｂ２５０がオンであることを認識する（ステップＳ２７）。
また、ＩＦ部５３０は、コネクタ部Ａ２００からの通信規格を検出する（ステップＳ２７ａ）。制御部５００は、ＩＦ部５３０で認識された通信規格を認識する（ステップＳ２７ｂ）。
【００７８】
制御部５００は、接続記録部５５０の接続パターンを確認し（ステップＳ２８）、接続パターンがコネクタ部Ｂ２５０であり、通信規格が（Ｓ）の場合に、制御部５００は、メモリ部５２０のリンクテーブル５２４に基づいて音声再生指示を音声再生部３００へ、与える（ステップＳ２９）。
音声再生部３００は、制御部５００からの音声再生指示に従い、スピーカ３１０から接続パターンに応じた音声１１データ６１１、音声１２データ６２１のいずれか１つの音声を出力させる（ステップＳ３０）。
【００７９】
（第５の実施の形態）
以下、第５の実施の形態にかかるＵＳＢメモリ１００ａについて説明を行う。第５の実施の形態にかかるＵＳＢメモリ１００ａにおいては、主に第１の実施の形態にかかるＵＳＢメモリ１００と異なる点について説明を行う。
【００８０】
図１０は、本実施の形態にかかるユニバーサルシリアルバスの記録装置（以下、ＵＳＢメモリと呼ぶ。）１００ａの内部構造の一例を示す模式図である。
【００８１】
第５の実施の形態におけるＵＳＢメモリ１００ａは、図１のＵＳＢメモリ１００に報知部８００をさらに含むものである。本実施の形態にかかる報知部８００は、多色発光可能な発光ダイオード（以下、ＬＥＤと呼ぶ）からなる。
【００８２】
図１１は、メモリ部５２０に記録されたリンクテーブルの一例を示す模式図である。
図１１に示すように、メモリ部５２０には、特別音声用接続バージョンの音声再生情報のリンクテーブル５２５が記録されている。
【００８３】
図１１に示すように、リンクテーブル５２５には、接続パターンおよび通信規格と、音声データと、さらに達成情報とがリンク付けされている。
さらに、ＵＳＢメモリ１００ａの装置固有情報（例えばシリアル番号）に応じてリンクテーブル５２５が複数形成されている。
リンクテーブル５２５が２個ある場合には、シリアル番号の下桁が奇数または偶数の場合で使い分けてもよく、リンクテーブル５２５が１０個ある場合には、シリアル番号の下桁の数字０以上９以下で分類してもよい。
【００８４】
ここで、達成情報とは、例えば、ＷＥＢ１およびアプリ１の情報である。ＷＥＢ１の情報とは、接続パターンおよび通信規格が達成された場合に読み出し可能となる情報であり、ＵＳＢメモリ１００ａからコネクタ部Ａ２００またはコネクタ部Ｂ２５０に接続されたパーソナルコンピュータまたはスマートフォンの表示部にウェブサイトのリンク先を提供できる情報（ＷＥＢ１）である。
【００８５】
また、アプリ１の情報とは、接続パターンおよび通信規格が達成された場合に読み出し可能となる情報であり、ＵＳＢメモリ１００ａからコネクタＡ部Ａ２００またはコネクタ部Ｂ２５０に接続されたパーソナルコンピュータまたはスマートフォンの表示部にアプリのリンク先を提供できる情報（アプリ１）である。ユーザは、アプリ１のアプリのリンク先からアプリをインストールすることで、アプリのプレゼントを受け取ることができる。
また、アプリ１の情報はＵＳＢメモリ１００ａの製造元からプレゼントを受け取るためのパスワード情報であっても良い。
【００８６】
また、ＷＥＢ１とＷＥＢ２とＷＥＢ３の情報、アプリ１とアプリ２とアプリ３とは、異なる情報であってもよく、同じ情報であってもよい。
すなわち、接続パターンの難易度に応じて製造元がＷＥＢおよびアプリの情報をユーザに提示し、プレゼント応募またはプレゼントを提供することができる。
【００８７】
さらに、図１１に示すように、達成情報において発光を提供してもよい。この発光は、報知部８００の点灯または点滅方式を変化させる。具体的には、報知部８００を７色に点滅させることができる。その結果、ユーザは、条件を達成したことを他のユーザに自慢することができる。
【００８８】
また、図１１に示すように、リンクテーブル５２５には、ＵＳＢメモリ１００ａを接続したパーソナルコンピュータ上で動作する設定ツールなどにより、ユーザが自ら接続パターンを設定可能な構成としても良い。この場合、ＵＳＢメモリ１００ａを企業またはユーザが、設定を行い、他のユーザにプレゼントすることもできる。
もちろん、アプリ１の情報を設定ツールを取得するための情報としても良い。
【００８９】
図１２は、コネクタ部Ａ２００とコネクタ部Ｂ２５０とが同時に接続された場合にエラーを出力するための警告用フローチャートである。
【００９０】
図１２に示すように、制御部５００は、電圧検知部５４０にコネクタ部Ａ２００の電源ラインからの電圧、またはコネクタ部Ｂ２５０のいずれか一方のみがオンか否かを判定する（ステップＳ９１）。
いずれか一方のみの電圧がオンであると判定した場合（ステップＳ９１のＹｅｓ）、制御部５００は、処理を終了する。
一方、両方の電圧がオンであると判定した場合（ステップＳ９１のＮｏ）、制御部５００は、警告音の音声再生指示を音声再生部３００へ、与える（ステップＳ９２）。音声再生部３００は、制御部５００からの音声再生指示に従い、スピーカ３１０から警告音を出力させる（ステップＳ９３）。
【００９１】
なお、制御部５００は、コネクタ部Ａ２００およびコネクタ部Ｂ２５０の両方の電圧がオンとされたコネクタ部Ａ２００およびコネクタ部Ｂ２５０のいずれか一方の信号及び電圧を遮断させてもよい。すなわち、後に差し込まれたコネクタ側を無視する処理である。その結果、当初接続されたコネクタを優先するため、当初接続されたコネクタとＵＳＢメモリ１００，１００ａとの処理がいきなり遮断され、送受信データの破損を防止することができる。
【００９２】
以上のように、ＵＳＢメモリ１００、１００ａにおいては、コネクタ部Ａ２００および外部機器の接続、コネクタ部Ｂ２５０および外部機器の接続が、検出される。制御部５００は、コネクタ部Ａ２００における接続と、コネクタ部Ｂ２５０における接続との接続パターンに応じて音声再生部３００から音声を出力する。
その結果、接続パターンに応じて種々の音声を設定することにより、ユーザの嗜好性を高め、ＵＳＢメモリ１００、１００ａの利用を増加させることができる。
【００９３】
また、制御部５００は、接続記録部５５０に記録された接続パターンとコネクタ部Ａ２００における接続およびコネクタ部Ｂ２５０における接続順序とが一致する場合、音声再生部３００から音声が報知される。したがって、ユーザは、通常使用以外にも接続順序を変化させて音声再生部３００からの音声を楽しむことができる。
【００９４】
さらに、制御部５００は、コネクタ部Ａ２００およびコネクタ部Ｂ２５０が同時に接続された場合、いずれの接続を有効にさせるかが問題となる。そのため、音声再生部３００から警告音を報知することで、ユーザに使用方法が誤っていることを認識させることができる。
なお、コネクタ部Ａ２００およびコネクタ部Ｂ２５０が同時に接続された場合、後に接続された方を接続無効としてもよい。
【００９５】
さらに、接続パターンが一致した回数を記録可能な構成としても良い。その場合は、特定の接続パターンに対する一致回数にリンクさせて再生する音声情報の設定や達成情報を設定することができる。そうした場合、例えば特定の接続パターンに対する一致回数が１回目の場合と２回目の場合の音声を変えることができる。
その結果、ユーザは、楽しみながら接続パターンを探すことができる。
【００９６】
続いて、制御部５００は、所定回数の接続パターンが一致すると判定された場合、報知部８００の色を変化させて発光させることができる。この場合、ユーザは接続パターンが一致したと判定できる。
また、ユーザは、周囲のユーザに接続パターンが一致したことを自慢することができる。
【００９７】
また、制御部５００は、所定回数の接続パターンが一致すると判定された場合、ＷＥＢページ情報およびアプリ情報の少なくとも一方を外部機器へ出力することができる。
さらに、シリアル番号に応じて接続パターンが異なっているので、ユーザは、接続パターンをインターネット等で調べることができない。そのため、ユーザの達成意欲を高めることができる。
【００９８】
また、接続パターンを書き換え可能な部分があるので、ユーザは、書き換えを行いＵＳＢメモリ１００、１００ａをプレゼントすることができる。
さらに、接続パターンのみ、接続パターンと通信規格、通信規格のみが記録されているので、音声再生部３００から報知される音声の種類を種々変化させることができる。
【００９９】
本発明においては、コネクタ部Ａ２００が「第１コネクタ部、ユニバーサルシリアルバス接続のコネクタ」に相当し、コネクタ部Ｂ２５０が「第２コネクタ部、ユニバーサルシリアルバス接続のコネクタ」に相当し、パーソナルコンピュータおよびスマートフォン等が「外部機器」に相当し、電圧検知部５４０、またはＩＦ部５３０が「接続検出部」に相当し、記録部４００またはメモリ部５２０が「記録部４００」に相当し、音声再生部３００およびスピーカ３１０が「音声報知部」に相当し、制御部５００が「制御部」に相当し、ＵＳＢメモリ１００，１００ａが「記録装置、ユニバーサルシリアルバス接続のコネクタを持つ記録装置」に相当し、接続記録部５５０が「接続記録部」に相当し、リンクテーブル５２１、５２５、５２３、５２４、５２５、接続パターン、接続パターンおよび通信規格が「接続パターン」に相当し、報知部８００が「報知部」に相当する。
【０１００】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１０１】
１００、１００ａ  ＵＳＢメモリ
２００  コネクタ部Ａ
２５０  コネクタ部Ｂ
３００  音声再生部
３１０  スピーカ
４００  記録部
５００  制御部
５２０  メモリ部
５２１、５２２、５２３、５２４、５２５  リンクテーブル
５３０  ＩＦ部
５４０  電圧検知部
５５０  接続記録部
８００  報知部
【図１】
0006554061.tif 000002
【図２】
0006554061.tif 000003
【図３】
0006554061.tif 000004
【図４】
0006554061.tif 000005
【図５】
0006554061.tif 000006
【図６】
0006554061.tif 000007
【図７】
0006554061.tif 000008
【図８】
0006554061.tif 000009
【図９】
0006554061.tif 000010
【図１０】
0006554061.tif 000011
【図１１】
0006554061.tif 000012
【図１２】
0006554061.tif 000013